【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
製品（２５）を注入部位（２７）に注入する注入装置（３）のための注入補助装置（１）であって、この注入装置（３）は、注入される製品（２５）を受け入れるように意図された少なくとも１つの中空の本体（２）と、前記注入部位（２７）を突き刺すように意図された少なくとも１つの中空の注射針（７）と、前記本体（２）内に収容された少なくとも１つのピストン・プランジャ（２６）とを備え、前記本体（２）および前記ピストン・プランジャ（２６）は、互いに対して軸方向に並進運動することができる、注入補助装置（１）において、少なくとも、
前記注入部位（２７）の表面と接触するように意図された少なくとも１つの支持面（５）が設けられた中空のスリーブ（４）であって、前記本体（２）を少なくとも部分的に受け入れるように意図され、かつ、少なくとも、前記針（７）が挿入長さにわたって露出されない初期位置として知られる第１の位置と、前記針（７）が所定の挿入長さＬだけ露出される挿入位置として知られる第２の位置との間での本体（２）の軸方向の移動を可能にするように配置された中空のスリーブ（４）と、
少なくとも注入中に前記ピストン・プランジャ（２６）に連結されるように配置された連結手段（１０、７６）であって、これらにかけられた末端方向の圧力を受けたとき、前記ピストン・プランジャ（２６）を挿入終了位置から注入終了位置まで移動させ、かつ、注射剤を投与する連結手段（１０、７６）と、
少なくとも前記ピストン・プランジャ（２６）および前記本体（２）を前記初期位置に維持するように配置されたスペーサ手段（８；３０；５９；６９；８１；８０）と、
前記スペーサ手段（８；３０；５９；６９；８１；８０）と関連付けられた解除手段（２２、１４、１５、１６；２５、３１；６１；７０、７１；４）とを備え、
前記スペーサ手段（８；３０；５９；６９；８１；８０）および／または前記解除手段（２２、１４、１５、１６；２５、３１；６１；７０、７１；４）は、前記本体（２）の変位より前に前記ピストン・プランジャ（２６）の末端方向への変位ができないように配置されており、
更に、前記連結手段（１０、７６）を前記挿入位置に維持するための維持手段（５９；１０ａ、６９ａ）を備え、
前記本体（２）はその基端部にフランジ（６）を備え、前記維持手段は、前記挿入位置において前記本体（２）および前記連結手段（１０）に係合する少なくとも１つの撓みタブ（５９）を備え、前記タブ（５９）は、撓むことができ、かつ、前記挿入終了位置において前記フランジ（６）と協働することによって、前記本体（２）を前記連結手段（１０）から分離させ得ることを特徴とする注入補助装置（１）。
【請求項２】
前記本体（２）を軸方向で末端方向に移動させ、前記中空の針（７）を前記注入部位（２７）に挿入するように配置された自動挿入手段（９；４９；５３；６６；７６）と、
前記本体（２）を前記初期位置に保持するための保持手段（１４、１５、１８；１２、１２５、３０、３１；４４、４５；４８、４９；６１、６２；６９、７０、７１；７７、７６）と、をさらに備え、
前記自動挿入手段（９；４９；５３；６６；７６）は、前記保持手段（１４、１５、１８；１２、１２５、３０、３１；４４、４５；４８、４９；６１、６２；６９、７０、７１；７７、７６）の解放によって作動されることを特徴とする請求項１に記載の注入補助装置（１）。
【請求項３】
前記連結手段は、前記ピストン・プランジャ（２６）から分離される少なくとも１つのプランジャ・ロッド（１０）を備え、前記プランジャ・ロッド（１０）は、前記ピストン・プランジャ（２６）に連結されると、末端方向に付勢されたとき、前記ピストン・プランジャ（２６）を末端方向に駆動することを特徴とする請求項２に記載の注入補助装置（１）。
【請求項４】
前記スペーサ手段は、前記本体（２）と前記ピストン・プランジャ（２６）との間に実質的に剛性のリンクを形成し、前記解除手段（２２、１４、１５、１６；２５、３１；６１）をトリガする前の前記本体（２）および前記ピストン・プランジャ（２６）の相対的な変位を防止する、少なくとも１つのスペーサ（８；３０；５９；６９）を備えることを特徴とする請求項１に記載の注入補助装置（１）。
【請求項５】
前記解除手段（２２、１４、１５、１６；２５、３１；６１）は、前記挿入位置が到達されたとき、前記スペーサ（８；３０；５９；６９）を自動的に分離し、かつ、前記ピストン・プランジャ（２６）および前記本体（２）の相対的な変位を可能にするように配置されていることを特徴とする請求項４に記載の注入補助装置（１）。
【請求項６】
使用者側の手作業による介在なしに、前記挿入終了位置において前記連結手段（１０；７６）を付勢するように配置された自動注入手段（５３；６７；７６）をさらに備えることを特徴とする請求項１に記載の注入補助装置（１）。
【請求項７】
前記自動注入手段は、前記連結手段（１０）に連結され、前記連結手段（１０）を前記挿入位置から前記注入終了位置まで付勢するように意図された第１の戻り手段（５３；６７；７６）を備えることを特徴とする請求項６に記載の注入補助装置（１）。
【請求項８】
前記連結手段（１０、７６）を前記挿入位置に維持するための維持手段（５９；１０ａ、６９ａ）を備え、前記自動注入手段（５３；６７；７６）は、前記維持手段（５９；１０ａ、６９ａ）の解放によって作動されることを特徴とする請求項６に記載の注入補助装置（１）。
【請求項９】
前記解除手段（２２、１４、１５、１６；２５、３１；６１）は、前記維持手段（５９；１０ａ、６９ａ）の解放によってトリガされ、前記スペーサ（８；３０；５９；６９）の分離および前記自動注入手段（５３；６７；７６）の作動を同時に行うことを特徴とする請求項８および請求項５に記載の注入補助装置（１）。
【請求項１０】
注入後の最終保護位置において、前記針（７）を覆うように配置された最終保護手段（４；８；３５、３７）をさらに備え、前記最終保護手段は、前記針（７）が露出される注入位置と前記針（７）が覆われる最終保護位置との間で、前記本体（２）に対して並進運動できることを特徴とする請求項１ないし請求項９のいずれかに記載の注入補助装置（１）。
【請求項１１】
前記最終保護手段は、前記スリーブ（４）、および、前記スリーブ（４）と前記本体（２）との間に配置された中間鞘（８；３５、３７）から選択されることを特徴とする請求項１０に記載の注入補助装置（１）。
【請求項１２】
注入終了時に前記最終保護手段（４；８；３５）を作動させるための自動作動手段（９；４２；５０；５７；７８）を備えることを特徴とする請求項１０または請求項１１に記載の注入補助装置（１）。
【請求項１３】
前記自動作動手段は、前記本体（２）を前記注入位置から前記最終保護位置まで付勢するように意図され、前記最終保護手段（４；８；３５）に連結された第２の戻り手段（９；４２；５０；５７；５８）を備えることを特徴とする請求項１２に記載の注入補助装置（１）。
【請求項１４】
前記最終保護位置において前記最終保護手段（４；８；３５）に対する前記本体（２）の並進運動を少なくとも制限するように配置されたロック手段（１７；３４；４１；５２）を備えることを特徴とする請求項１ないし請求項１３のいずれかに記載の注入補助装置（１）。
【請求項１５】
前記自動挿入手段は、前記スリーブ（４）に連結され、かつ、前記本体（２）を前記初期位置から前記挿入位置まで付勢するように意図された第３の弾性戻り手段（９；４９；５３；６６；７６）を備えることを特徴とする請求項１に記載の注入補助装置（１）。
【請求項１６】
前記ピストン・プランジャ（２６）が前記中空の本体（２）の静止摩擦に打ち勝つために必要とされる力を有する状態で、前記自動注入手段（７６）は、前記第１、第２、および第３の戻り手段（７６、７８）の力と、前記ピストン・プランジャ（２６）の抵抗力と、前記注入部位（２７）にかかる前記スリーブ（４）の支持力との合力が末端方向に向けられたときに、作動されることを特徴とする請求項１５に記載の注入補助装置（１）。
【請求項１７】
前記本体（２）の前記挿入位置の限界を定めるように配置された制御手段（１９；３２；５９；８２；９１；９４）を備えることを特徴とする請求項１に記載の注入補助装置（１）。
【請求項１８】
前記制御手段は、前記スリーブ（４）に設けられ、かつ、前記本体（２）がこれに当たるように意図された少なくとも１つの半径方向停止部（１９；３２；９４；９１）を備えることを特徴とする請求項１７に記載の注入補助装置（１）。
【請求項１９】
前記ピストン・プランジャ（２６）は、注入を行うために、前記ピストン・プランジャ（２６）を末端方向に付勢するように意図されたプランジャ・ロッド（１０）に連結されており、前記制御手段は、前記ピストン・プランジャに対する前記プランジャ・ロッドの並進運動を阻止する阻止手段（５９）を備え、前記阻止手段は、前記本体（２）が前記挿入終了位置にあるときに解放されることが可能であり、前記針（７）は、前記所定の挿入長さＬだけ露出されることを特徴とする請求項１７に記載の注入補助装置（１）。
【請求項２０】
製品（２５）を注入部位（２７）に注入するための注入セット（１００）であって、
注入される製品（２５）を受け入れるように意図された中空の本体（２）であって、挿入ステップとして知られる第１のステップ中に注入部位（２７）を突き刺し、かつ、注入ステップとして知られる第２のステップ中に前記本体（２）から前記注入部位（２７）に向けて前記製品（２５）を流すように意図された中空の注射針（７）が設けられた中空の本体（２）と、
前記本体（２）内にほぼ密封された形で収容され、かつ、前記針（７）を通して前記製品を押し出す前記注入ステップにおいて、移動手段によって末端方向に移動されるように意図された、少なくとも１つのピストン・プランジャ（２６）と、を少なくとも備える、注入装置（３）を少なくとも備える、注入セット（１００）において、
少なくとも請求項１による、前記注入装置（３）を補助するための少なくとも１つの注入補助装置（１）を備えることを特徴とする注入セット（１００）。
【請求項２１】
使用前に組み立てられ得るキットの形態であることを特徴とする請求項２０に記載の注入セット（１００）。
【手続補正２】
【補正対象書類名】明細書
【補正対象項目名】０００９
【補正方法】変更
【補正の内容】
【０００９】
最後に、従来の注入装置を用いて製品を注入することは、一般に、少なくとも２つの手作業のステップを必要とする。例えば、注射器の場合、１つの手作業のステップは、針を注入部位に挿入するために、注射器の本体を保持することであり、別のステップは、注射剤を投入するためにプランジャ・ロッドを押し付けることからなり、１つのステップから他のステップへの進行には、一般に、注射器に対して指を動かすことを必要とする。
欧州特許出願ＥＰ０６６６０８４−Ａ２は、体内に物質を自動的に注入する注入器具を開示する。